【事件の表示】
　特許第２７８０９７４号「プリンタ」の特許に対する特許異議の申立てについて、次のとおり決定する。
【結　論】
　訂正を認める。
　特許第２７８０９７４号の特許を維持する。
【理　由】
［１］手続きの経緯
　本件特許第２７８０９７４号発明は、昭和６２年１１月３０日に特許出願され、平成１０年５月１５日にその特許の設定登録がなされ、その後、牧田由男、畑野美智子、渡辺利政より特許異議の申立てがなされ、取消理由通知がなされ、その指定期間内である平成１１年８月１６日に訂正請求がなされたものである。
［２］訂正の適否についての判断
１．訂正の要旨
（１）訂正事項ａ
  特許請求の範囲を次に訂正する。
「１　ホストに接続され、該ホストからの受信データを複数のエミユレーシヨンプログラムで処理可能なプリンタであつて、前記複数のエミユレーシヨンプログラムを記憶する記憶手段と、前記ホストから送出されるエミユレーシヨン選択コマンドを受信する受信手段と、該受信手段によつて受信したエミユレーシヨン選択コマンドに応じて、前記記憶手段に記憶された複数のエミユレーシヨンプログラムの中から一つのエミユレーシヨンプログラムを選択
するとともに、前記エミユレーシヨン選択コマンドの受信前にすでに受信していた前記ホストからの受信データについては、前記エミユレーシヨン選択コマンドの受信にかかわらず従前のエミユレーシヨンプログラムによつて処理を続行し、その処理が完了後エミユレーシヨンプログラムを前記エミユレーシヨン選択コマンドに応じて切り替えて、切り替わつたエミユレーシヨンプログラムによつて、前記エミユレーシヨン選択コマンド受信後に受信した
（２）訂正事項ｂ
　特許明細書の「構成」の項の記載（特許公報２頁３欄１２〜２２行）を次に訂正する。
「この発明は上記の目的を達成するため、ホストに接続され、該ホストからの受信データを複数のエミユレーシヨンプログラムで処理可能なプリンタであつて、複数のエミユレーシヨンプログラムを記憶する記憶手段と、ホストから送出されるエミユレーシヨン選択コマンドを受信する受信手段と、この受信手段によつて受信したエミユレーシヨン選択コマンドに応じて、上記記憶手段に記憶された複数のエミユレーシヨンプログラムの中から一つのエミユレーシヨンプログラムを選択
するとともに、上記エミユレーシヨン選択コマンドの受信前にすでに受信していたホストからの受信データについては、上記エミユレーシヨン選択コマンドの受信にかかわらず従前のエミユレーシヨンプログラムによつて処理を続行し、その処理が完了後エミユレーシヨンプログラムを上記エミユレーシヨン選択コマンドに応じて切り替えて、切り替わつたエミユレーシヨンプログラムによつて、上記エミユレーシヨン選択コマンド受信後に受信した
（３）訂正事項ｃ
　特許明細書の「効果」の項の記載（特許公報３頁６欄３３〜３６行）を次に訂正する。
「以上説明したように、この発明によれば、
ホストからのエミユレーシヨン選択コマンドに応じてエミユレーシヨンプログラムを選択するようにしたので、
する。また、エミユレーシヨン選択コマンドの受信前にすでに受信していたホストからの受信データについては、エミユレーシヨン選択コマンドの受信にかかわらず従前のエミユレーシヨンプログラムによつて処理を続行し、その処理が完了後エミユレーシヨンプログラムをエミユレーシヨン選択コマンドに応じて切り替えて、切り替わつたエミユレーシヨンプログラムによつて、上記エミユレーシヨン選択コマンド受信後に受信したホストからの受信データの処理を実行するようにしたので、
き、印
２．訂正の目的、新規事項禁止、拡張変更禁止の各要件の判断
（１）訂正事項ａについて
　本訂正は、願書に添付した明細書又は図面に記載した事項（特に、特許公報３頁５欄４９行〜６欄２２行及び第６，７図等参照。）の範囲内で処理手段による処理について限定するものであり、特許請求の範囲の減縮を目的とするものであって、上記各要件を満たすものである。
（２）訂正事項ｂ，ｃについて
　本訂正は、訂正事項ａに伴う訂正であり、上記各要件を満たすものである。
３．独立特許要件の判断と訂正の適否のまとめ
　以下に述べるように、訂正後の発明は特許出願の際独立して特許を受けることができない発明とすることはできないことから、上記訂正は、特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
［３］異議申立についての判断
１．訂正後の発明の要旨
　訂正後の発明の要旨は、訂正明細書及び図面の記載からみて、訂正明細書の特許請求の範囲に記載されたとおりのプリンタにあるものと認められる（上記訂正事項ａ参照、以下「本件発明」という。）。
２．取消理由の引用刊行物とその記載事項
　これに対し、当審は、特許異議申立における全ての証拠を引用刊行物として採用し、特許法第２９条第１，２項規定違反を理由とする取消理由を通知した（下記刊行物１は申立人牧田由男と渡辺利政が各提出した甲第１号証であり、刊行物２，３は申立人畑野美智子が提出した甲第１，２号証である。）。
　引用刊行物とその記載事項は次のとおりである。
　刊行物１：特開昭６１−１９５４４６号公報
  複数の制御命令体系を有する端末装置において、ホスト機器からの制御命令により制御命令体系を切換える切換回路手段を有する端末制御装置、等が記載されている。
　刊行物２：特開昭５９−１６７７４５号公報
  複数の情報交換コード体系に応じた印字制御データを格納した複数のデータ格納手段と、入力データが複数の情報交換コード体系の内の特定の情報交換コード体系を指定するコード体系指定データか否かを判別する判別手段と、判別手段の判別結果に応じてコード体系指定データで指定された情報交換コード体系に応じたデータ格納手段を選択する選択手段とを設けたプリンタ、等が記載されている。
　刊行物３：特開昭５９−５７３３７号公報
　手動スイッチ又はデータバスを介して送られる特別指令により、所望の機能を遂行するためコントロールコードの翻訳を実行することにより、異なるプリンタのいずれをもエミユレートするようになっているインターフエース、等が記載されている。
３．対比・判断
　本件発明と刊行物１，２，３記載の発明とを対比するに、本件発明の構成要件の内、ホストに接続され、該ホストからの受信データを複数のエミユレーシヨンプログラムで処理可能なプリンタであって、前記複数のエミユレーシヨンプログラムを記憶する記憶手段と、前記ホストから送出されるエミユレーシヨン選択コマンドを受信する受信手段と、該受信手段によって受信したエミユレーシヨン選択コマンドに応じて、前記記憶手段に記憶された複数のエミユレーシヨンプログラムの中から一つのエミユレーシヨンプログラムを選択して、前記ホストからの受信データの処理を実行する処理手段とを備えたプリンタ、については刊行物１，２，３記載の発明から当業者が容易に想到し得ると認められるものの、「前記エミユレーシヨン選択コマンドの受信前にすでに受信していた前記ホストからの受信データについては、前記エミユレーシヨン選択コマンドの受信にかかわらず従前のエミユレーシヨンプログラムによつて処理を続行し、その処理が完了後エミユレーシヨンプログラムを前記エミユレーシヨン選択コマンドに応じて切り替えて、切り替わつたエミユレーシヨンプログラムによつて、前記エミユレーシヨン選択コマンド受信後に受信した前記ホストからの受信データの処理を実行する」点については、刊行物１，２，３のいずれにも記載がなく、かつ、刊行物１，２，３の記載からでは当業者が容易に想到し得るとも認められない。
　そして、本件発明は、この点を構成要件とすることにより、エミユレーシヨンモードを変更するエミユレーシヨン選択コマンドを受信したとしても、その受信以前に受信したデータについては変更前のエミユレーシヨンモードで全て処理し、その後、該コマンド受信後に受信したデータのみを新たなエミユレーシヨンモードで処理できて、操作性やデータの送出を向上できるという、明細書記載の作用効果を奏するものであり、刊行物１，２，３に記載された発明と同一であるとも、あるいはそれらの発明に基づいて当業者が容易に発明をすることができたものであるとも認められない。
４．特許異議申立人の主張について
　申立人牧田由男は、本件発明は甲第１号証（上記刊行物１）記載の発明と同一か、あるいはその発明から当業者が容易に発明をすることができた旨、申立人畑野美智子は、本件発明は甲第１号証（上記刊行物２）及び甲第２号証（上記刊行物３）記載の発明から当業者が容易に発明をすることができた旨、申立人渡辺利政は、本件発明は甲第１号証（上記刊行物１）記載の発明から当業者が容易に発明をすることができた旨、それぞれ主張しているが、本件発明とこれらの甲各号証記載の発明との対比・判断は前示のとおりであるので、これらの主張は採用できない。
［４］むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年４月２５日（２０００．４．２５）
【訂正の要旨】
　訂正の要旨
（１）訂正事項ａ
　特許請求の範囲を次に訂正する。
「１　ホストに接続され、該ホストからの受信データを複数のエミユレーシヨンプログラムで処理可能なプリンタであつて、前記複数のエミユレーシヨンプログラムを記憶する記憶手段と、前記ホストから送出されるエミユレーシヨン選択コマンドを受信する受信手段と、該受信手段によつて受信したエミユレーシヨン選択コマンドに応じて、前記記憶手段に記憶された複数のエミユレーシヨンプログラムの中から一つのエミユレーシヨンプログラムを選択
するとともに、前記エミユレーシヨン選択コマンドの受信前にすでに受信していた前記ホストからの受信データについては、前記エミユレーシヨン選択コマンドの受信にかかわらず従前のエミユレーシヨンプログラムによつて処理を続行し、その処理が完了後エミユレーシヨンプログラムを前記エミユレーシヨン選択コマンドに応じて切り替えて、切り替わつたエミユレーシヨンプログラムによつて、前記エミユレーシヨン選択コマンド受信後に受信した
（２）訂正事項ｂ
　特許明細書の「構成」の項の記載（特許公報２頁３欄１２〜２２行）を次に訂正する。
「この発明は上記の目的を達成するため、ホストに接続され、該ホストからの受信データを複数のエミユレーシヨンプログラムで処理可能なプリンタであつて、複数のエミユレーシヨンプログラムを記憶する記憶手段と、ホストから送出されるエミユレーシヨン選択コマンドを受信する受信手段と、この受信手段によつて受信したエミユレーシヨン選択コマンドに応じて、上記記憶手段に記憶された複数のエミユレーシヨンプログラムの中から一つのエミユレーシヨンプログラムを選択
するとともに、上記エミユレーシヨン選択コマンドの受信前にすでに受信していたホストからの受信データについては、上記エミユレーシヨン選択コマンドの受信にかかわらず従前のエミユレーシヨンプログラムによつて処理を続行し、その処理が完了後エミユレーシヨンプログラムを上記エミユレーシヨン選択コマンドに応じて切り替えて、切り替わつたエミユレーシヨンプログラムによつて、上記エミユレーシヨン選択コマンド受信後に受信した
（３）訂正事項ｃ
　特許明細書の「効果」の項の記載（特許公報３頁６欄３３〜３６行）を次に訂正する。
「以上説明したように、この発明によれば、
ホストからのエミユレーシヨン選択コマンドに応じてエミユレーシヨンプログラムを選択するようにしたので、
する。また、エミユレーシヨン選択コマンドの受信前にすでに受信していたホストからの受信データについては、エミユレーシヨン選択コマンドの受信にかかわらず従前のエミユレーシヨンプログラムによつて処理を続行し、その処理が完了後エミユレーシヨンプログラムをエミユレーシヨン選択コマンドに応じて切り替えて、切り替わつたエミユレーシヨンプログラムによつて、上記エミユレーシヨン選択コマンド受信後に受信したホストからの受信データの処理を実行するようにしたので、
き、印
（５４）【発明の名称】
プリンタ
（５７）【特許請求の範囲】
１　ホストに接続され、該ホストからの受信データを複数のエミユレーシヨンプログラムで処理可能なプリンタであつて、
　前記複数のエミユレーシヨンプログラムを記憶する記憶手段と、
　前記ホストから送出されるエミユレーシヨン選択コマンドを受信する受信手段と、
　該受信手段によつて受信したエミユレーシヨン選択コマンドに応じて、前記記憶手段に記憶された複数のエミユレーシヨンプログラムの中から一つのエミユレーシヨンプログラムを選択
するとともに、前記エミユレーシヨン選択コマンドの受信前にすでに受信していた前記ホストからの受信データについては、前記エミユレーシヨン選択コマンドの受信にかかわらず従前のエミユレーシヨンプログラムによつて処理を続行し、その処理が完了後エミユレーシヨンプログラムを前記エミユレーシヨン選択コマンドに応じて切り替えて、切り替わつたエミユレーシヨンプログラムによつて、前記エミユレーシヨン選択コマンド受信後に受信した
　を備えたことを特徴とするプリンタ。
【発明の詳細な説明】
技術分野
　この発明は、ホストに接続され、該ホストからの受信データを複数のエミユレーシヨンプログラムで処理可能なプリンタに関する。なお、各エミユレーシヨンプログラムによる処理モードをエミユレーシヨンモードという。
従来技術
　一般に、レーザプリンタ等のプリンタにおいて、ホストからの受信データを、ドツトプリンタ，デイジーホイールプリンタあるいはその他のページプリンタ等に対応する複数のエミユレーシヨンプログラムによるエミユレーシヨンモードで処理（印字）可能なものがある。
　このようなプリンタにおいては、プリンタ本体にＤＩＰスイツチを設けて所要のエミユレーシヨンモードを選択するようにしている。
　しかしながら、このようにＤＩＰスイツチによつてエミユレーシヨンモードを選択するのでは、エミユレーシヨンモードを変更する際に一々スイツチを操作しなければならないし、またエミユレーシヨンモード変更時に変更前のモードのデータ処理の終了を確認しなければならない等、操作性が悪いという問題がある。
目　的
　この発明は上記の点に鑑みてなされたものであり、ホストからの受信データを複数のエミユレーシヨンプログラムで処理可能なプリンタにの操作性を向上させることを目的とする。
構　成
　この発明は上記の目的を達成するため、ホストに接続され、該ホストからの受信データを複数のエミユレーシヨンプログラムで処理可能なプリンタであつて、複数のエミユレーシヨンプログラムを記憶する記憶手段と、ホストから送出されるエミユレーシヨン選択コマンドを受信する受信手段と、この受信手段によつて受信したエミユレーシヨン選択コマンドに応じて、上記記憶手段に記憶された複数のエミユレーシヨンプログラムの中から一つのエミユレーシヨンプログラムを選択するとともに、上記エミユレーシヨン選択コマンドの受信前にすでに受信していたホストからの受信データについては、上記エミユレーシヨン選択コマンドの受信にかかわらず従前のエミユレーシヨンプログラムによつて処理を続行し、その処理が完了後エミユレーシヨンプログラムを上記エミユレーシヨン選択コマンドに応じて切り替えて、切り替わったエミユレーシヨンプログラムによつて、上記エミユレーシヨン選択コマンド受信後に受信したホストからの受信データの処理を実行する処理手段とを備えたプリンタを提供するものである。
実施例
　以下、この発明の実施例を図面に基づいて具体的に説明する。
　第１図はこの発明を実施したレーザプリンタを示すブロツク図である。
　プリンタコントローラ１は、中央処理装置，ＲＯＭ，ＲＡＭ及びＩ／○等からなるマイクロコンピユータ（ＣＰＵ）１１と、ホストインターフエース（Ｉ／Ｆ）１２と、フオントＲＯＭ１４と、プログラムＲＯＭ１５と、ＲＡＭ１６と、エミユレーシヨンエリア１７と、エンジンインタフエース（Ｉ／Ｆ）１８と、ビデオバツフア１９と、補助記憶装置２０とからなり、このプリンタコントローラ１にはホスト２，フロントパネル５及びプリンタエンジン４が接続される。
　ＣＰＵ１１は、このプリンタコントローラ１全体の統括制御を司る処理装置であり、汎用の１−６ビツト又は３２ビツトのマイクロコンピユータを使用する。このＣＰＵ１１の内部ＲＯＭにはホスト２からのエミユレーシヨンモードを指定するエミユレーシヨン選択コマンドを受領するプログラムを格納している。
　ホストインタフエース１２は、オフイスコンピユータ，パーソナルコンピユータ，ワードプロセツサ，画像編集処理装置等のホスト２との間でデータを送受するためのインタフエースであり、ホスト２に合わせて各種のパラレルインタフエースあるいはシリアルインタフエースを選択する。
　フオントＲＯＭ１４は、プリンタとして必要最小限のフオントデータを格納している。プログラムＲＯＭ１５は、プリンタコントローラ１を動作させるためのＣＰＵ１１の各種処理プログラムを格納し、ホスト２から受領したエミユレーシヨン選択コマンドに応じて選択される複数のエミユレーシヨンプログラムもここに格納している。
　ＲＡＭ１６は、大容量のランダムアクセスメモリであり、主として、インプツトバツフア、ページバツフア、フオントフアイル、システムメモリとして使用する。なお、各バツフア及びフアイルはシステムメモリとして使用する領域以外のＲＡＭ領域を必要な量だけ事前に確保して使用する。
　なお、各バツフア及びフアイルについて詳述すると、インプツトバツフアは、ホスト２からホストインタフエース１２を通じて受領したデータを一時的に保持するためのバツフアであり、そのデータをプリントソフトウエアにより順次取出して、そのデータが実際に記憶されているソースアドレスとビデオバツフア１９のどこにビデオデータを作るかを指定するデイステイネーシヨンアドレス及びサイズ情報等を付加してページバツフアにページデータを生成する。
　このページデータとフオントフアイルのフオントデータとフオントＲＯＭ１４のフオントデータ（ソースデータ）を用いてビデオバツフア１９上にビデオデータを生成する。
　フオントフアイルには、ホスト２からのフオントデータがホストインタフエース１２を通じてダウンロードされ、あるいは補助記憶装置２０として装着されたフオントカートリツジからのフオントデータがロードされる。
　なお、ＲＡＭ１６には、ホスト２からのダウンロードフオントデータ及びフオントカートリツジからのロードフオントデータを管理するために、フオントデータを格納したフオントフアイルのアドレス，フオントの大きさ，フオントのネーム等のフオント管理情報も格納する。
　エミユレーシヨンエリア１７は、エミユレーシヨンモードを実行するときにエミユレーシヨンプログラム及びそのワークエリア（エミユレーシヨンワークエリア）を移入するエリアである。
　エンジンＩ／Ｆ１８は、プリンタエンジン４との間で必要な制御データ等の送受を司るインタフエースである。
　ビデオバツフア１９は、上述したように作成されたビデオデータを格納してプリンタエンジン４に読出される。
　補助記憶装置２０は、ＩＣカード，フオントカートリツジ，ダウンロードフアイル等である。エミユレーシヨンモードを実行するエミユレーシヨンプログラムは、この補助記憶装置２０又はプログラムＲＯＭ１５上に格納する。
　次に、このように構成したこの実施例の作用について第２図以降をも参照して説明する。
　まず、エミユレーシヨンモードの処理について第２図を参照して説明する。
　複数のエミユレーシヨンモードである例えばエミユレーシヨン１〜エミユレーシヨンｎを実行する各エミユレーシヨンプログラムは、前述したように補助記憶装置２０又はプログラムＲＯＭ１５に格納しているが、ここではプログラム実行時にはエミユレーシヨンエリア１７にエミユレーシヨンプログラム及びそのワークエリアを移すようにしているので、ホスト２からエミユレーシヨン選択コマンドを受信したときには、当該コマンドを受信する以前にホスト２から受信しているデータを処理し終つた後に、当該コマンドで示されるエミユレーシヨンを実行するエミユレーシヨンプログラム及びそのエミユレーシヨンワークエリアをエミユレーシヨンエリア１７に移して、当該コマンドを受信した後にホスト２から受信したデータの処理を実行する。
　次に、プリンタコントローラ１のデータ処理は、第５図に示すように、ホスト２からデータを受信したときには、まず受信後直ちに実行を要するコマンドを認識して実行し、次いで通常のコマンドを認識して実行した後、ページバツフアを作成してビツトイメージをプリンタエンジン４に送出し、用紙の排紙処理に移行する。
　したがつて、最初の処理で受信後直ちに実行を要するコマンドとしてのエミユレーシヨン選択コマンドを識認できるので、ソフト的に通常のコマンドを認識して実行の終了を確認した後、直ちにエミユレーシユンモードの変更を実行することができる。
　また、時間的なずれを考慮する必要がないので、ホスト２側はフアイルを連続的に送出できる。
　これに対して、スイツチでエミユレーシヨンモードを選択する場合には、コマンドによる処理の終了を確認しなければならないが、ビツトイメージのプリンタエンジンヘの送出の完了を確認するためには、通常は排紙処理の実行を確認しなければ分らないので時間がかかる。
　つまり、第４図に示すように、ホスト２側はフアイルの送出に先立つてエミユレーシヨン選択コマンドを送出し、その後フアイルを送出する。
　一方、プリンタコントローラ１は第５図に示すように、インプツトバツフアにホスト２からの受信データが有ればその受信データを読み出してコマンドかデータかを判別する。
　そして、受信データがコマンドであれば、そのコマンドがエミユレーシヨン選択コマンドか否かを判別し、エミレーシヨン選択コマンドであれば、そのエミユレーシヨン選択コマンドに応じて、補助記憶装置２０又はプログラムＲＯＭ１５に格納されている複数のエミユレーシヨンプログラムの中から、一つのエミユレーシヨンプログラムを選択してエミユレーシヨンエリア１７に移し、指定されたエミユレーシヨンモードに設定する。
　エミユレーシヨン選択コマンドでなければその他のコマンド処理をし、また受信データがデータであれば、そのデータをプリントアウトするためのデータ処理をする。
　このように、このプリンタはホスト２からのエミユレーシヨン選択コマンドを認識したときには、このエミユレーシヨン選択コマンドを受信する以前に受信したデータについては、変更前のエミユレーシヨンモードで全て処理（印字）した後、エミユレーシヨン選択コマンドを受信した後に受信したデータのみを、そのコマンドで指定されたエユミレーシヨンモードで処理（印字）する。
　例えば、エミユレーシヨン１でフアイル１を印字し、エミユレーシヨン２でフアイル２を印字する場合、ホスト２は第６図に示すように、エミユレーシヨン１を指定するエミユレーシヨン選択コマンドを送出した後フアイル１のデータを送出し、次いでエミユレーシヨン２を指定するエミユレーシヨン選択コマンドを送出した後フアイル２のデータを送出する。
　それによつて、このプリンタは第７図に示すように、エミユレーシヨン１を指定するエミユレーシヨン選択コマンドを受信し、そのコマンドに応じたエミユレーシヨンプログラムを選択してエミユレーシヨン１に設定した後、受信したフアイル１のデータを全てプリントアウトし、次いで、エミユレーシヨン２を指定するエミユレーシヨン選択コマンドを受信し、そのコマンドに応じたエミユレーシヨンプログラムを選択してエミユレーシヨン２に設定した後、受信したフアイル２のデータを全てプリントアウトする。
　このように、このプリンタにおいては、ホスト側からのエミユレーシヨン選択コマンドに応じて、複数のエミユレーシヨンプログラムの中の一つを選択してエミユレーシヨンモードを設定し、ホストからの受信データをその選択したエミユレーシヨンプログラムによつて処理する機能を備えたので、エミユレーシヨンモードを変更する際に一々スイツチを操作したり、モード変更時に変更前のモードのデータ処理の終了を確認したりする必要がなくなり、操作性が向上する。
効　果
以上説明したように、この発明によれば、ホストからのエミユレーシヨン選択コマンドに応じてエミユレーシヨンプログラムを選択するようにしたので、プリンタを直接操作しないでもエミユレーシヨンモードを変更できるので操作性が向上する。また、エミユレーシヨン選択コマンドの受信前にすでに受信していたホストからの受信データについては、エミユレーシヨン選択コマンドの受信にかかわらず従前のエミユレーシヨンプログラムによつて処理を続行し、その処理が完了後エミユレーシヨンプログラムをエミユレーシヨン選択コマンドに応じて切り替えて、切り替わつたエミユレーシヨンプログラムよつて、上記エミユレーシヨン選択コマンド受信後に受信したホストからの受信データの処理を実行するようにしたので、ホスト側はデータを連続的に送出でき、印字に要する時間を短縮できる。
【図面の簡単な説明】
　第１図はこの発明を実施したレーザプリンタのブロツク図、
　第２図は同じくそのエミユレーシヨンモードの処理の実行方法の説明に供する説明図、
　第５図は同じくプリンタのデータ受信時の処理を示すフロー図、
　第４図及び第５図は同じくホスト側及びプリンタ側の処理を示すフロー図、
　第６図及び第７図は同じくホスト側及びプリンタ側の処理の具体例を示すフロー図である。
１…プリンタコントローラ　　２…ホスト
４…プリンタエンジン　１１…マイクロコンピユータ（ＣＰＵ）
１５…プログラムＲＯＭ　　１６…ＲＡＭ
１７…エミユレーシヨンエリア
１９…ビデオバツフア　２０…補助記憶装置